(57)【要約】【課題】  断熱壁の開口下縁から漏出した冷気を回収して効率を改善し、且つ、顧客の不快感も解消することができるオープンショーケースを提供する。【解決手段】  オープンショーケース１は、断熱壁２内方に設けられた仕切板４内側に陳列室１１を構成し、仕切板４と断熱壁２間に冷却器Ｅが設けられたダクト１０を構成すると共に、断熱壁２の開口１２上縁に形成されて冷却器Ｅの冷気吐出側のダクト１０に連通する冷気吐出口１６、１７より冷気を吐出し、開口１２下縁の内側に形成されて冷却器Ｅの冷気吸込側のダクト１０に連通する冷気吸込口１８、１９より冷気を吸い込むことにより、開口１２に冷気エアーカーテンを形成する。断熱壁２の開口１２下縁を構成する前壁２Ｃの前面に、冷却器Ｅの冷気吸込側のダクト１０に連通する補助冷気吸込口５０を形成した。【選択図】図２
2009039159.tif 000002
【特許請求の範囲】
【請求項１】
断熱壁内方に設けられた仕切板内側に陳列室を構成し、前記仕切板と断熱壁間に冷却器が設けられたダクトを構成すると共に、前記断熱壁の開口上縁に形成されて前記冷却器の冷気吐出側の前記ダクトに連通する冷気吐出口より冷気を吐出し、開口下縁の内側に形成されて前記冷却器の冷気吸込側の前記ダクトに連通する冷気吸込口より冷気を吸い込むことにより、開口に冷気エアーカーテンを形成して成るオープンショーケースにおいて、
前記断熱壁の開口下縁を構成する前壁の前面に、前記冷却器の冷気吸込側の前記ダクトに連通する補助冷気吸込口を形成したことを特徴とするオープンショーケース。
【請求項２】
前記断熱壁の前壁上端に取り付けられ、該前壁上端から前壁前面上部に渡って湾曲しながら延在するハンドレールを備えたことを特徴とする請求項１に記載のオープンショーケース。
【請求項３】
前記断熱壁の前壁上端に取り付けられたハンドレールと、
前記断熱壁の前壁前面に取り付けられ、前記ハンドレールの下側に位置する前面下パネルとを備え、
前記補助冷気吸込口は、前記ハンドレールと前記前面下パネル間に形成されると共に、前記ハンドレールは、当該補助冷気吸込口を少なくとも前側斜め上方から隠蔽する形状を呈していることを特徴とする請求項１又は請求項２に記載のオープンショーケース。
【請求項４】
前記断熱壁の前壁前面に取り付けられた前面下パネルと、
該前面下パネルの下側に位置して前記断熱壁に取り付けられたバンパーとを備え、
前記前面下パネルは、前記バンパーと間隔を存して構成された下壁を有し、前記補助冷気吸込口は、当該前面下パネルの下壁に形成されていることを特徴とする請求項１乃至請求項３の何れかに記載のオープンショーケース。
【発明の詳細な説明】
【技術分野】
【０００１】
本発明は、陳列室を構成する断熱壁の開口上縁から冷気を吐出し、下縁から吸い込むことにより、開口に冷気エアーカーテンを形成して成るオープンショーケースに関するものである。
【背景技術】
【０００２】
従来よりこの種のオープンショーケースには、例えば特許文献１に示されるように断熱壁の開口上縁に形成された冷気吐出口より冷気を吐出し、開口下縁の内側に形成された冷気吸込口より吸い込むことにより、開口に冷気エアーカーテンを形成し、外気の侵入を防止若しくは抑制すると共に、この冷気エアーカーテンの一部を陳列室内に循環させて所定の温度に冷却する方式が採られている。
【特許文献１】特開平１１−２６２４３２号公報
【発明の開示】
【発明が解決しようとする課題】
【０００３】
しかしながら、冷気吐出口から吐出された冷気はどうしても開口下縁から外側に漏出する（これをコールアイルと称する）。この漏出した冷気により、オープンショーケースの前方下部は極めて温度が低下することになる。そのため、特にショーケース間の通路が狭くなる小規模の店舗の場合には、夏場でも暖房を入れるなどして顧客の不快感を解消するように努力しているが、エネルギー的には極めて非効率である。
【０００４】
係るオープンショーケースからの冷気漏洩は、冷気吸込口の前側に位置することになるオープンショーケースのハンドレールの形状によって特に影響を受ける。即ち、デザイン面及び顧客の安全面（角張った形状の場合は顧客が衝突した場合に傷つく場合あり）の配慮から、断熱壁の前壁上端に取り付けられるハンドレールは湾曲した形状が望ましい。その場合、ハンドレールは前壁上端から前面上部に渡って飛行機の翼断面形状のように湾曲しながら延在するかたちとなるが、冷気吐出口から吐出されて降下する冷気の一部（外側の部分）は、コアンダー効果によってこのハンドレールの湾曲形状に吸い付くように沿って方向転換し、ハンドレール内側の冷気吸込口から外れて前壁前方に流れていくことになるからである。
【０００５】
本発明は、係る従来の技術的課題を解決するために成されたものであり、断熱壁の開口下縁から漏出した冷気を回収して効率を改善し、且つ、顧客の不快感も解消することができるオープンショーケースを提供することを目的とするものである。
【課題を解決するための手段】
【０００６】
本発明のオープンショーケースは、断熱壁内方に設けられた仕切板内側に陳列室を構成し、仕切板と断熱壁間に冷却器が設けられたダクトを構成すると共に、断熱壁の開口上縁に形成されて冷却器の冷気吐出側のダクトに連通する冷気吐出口より冷気を吐出し、開口下縁の内側に形成されて冷却器の冷気吸込側のダクトに連通する冷気吸込口より冷気を吸い込むことにより、開口に冷気エアーカーテンを形成して成るものであって、断熱壁の開口下縁を構成する前壁の前面に、冷却器の冷気吸込側のダクトに連通する補助冷気吸込口を形成したことを特徴とする。
【０００７】
請求項２の発明のオープンショーケースは、上記において断熱壁の前壁上端に取り付けられ、この前壁上端から前壁前面上部に渡って湾曲しながら延在するハンドレールを備えたことを特徴とする。
【０００８】
請求項３の発明のオープンショーケースは、上記各発明において断熱壁の前壁上端に取り付けられたハンドレールと、断熱壁の前壁前面に取り付けられ、ハンドレールの下側に位置する前面下パネルとを備え、補助冷気吸込口は、ハンドレールと前面下パネル間に形成されると共に、ハンドレールは、当該補助冷気吸込口を少なくとも前側斜め上方から隠蔽する形状を呈していることを特徴とする。
【０００９】
請求項４の発明のオープンショーケースは、上記各発明において断熱壁の前壁前面に取り付けられた前面下パネルと、この前面下パネルの下側に位置して断熱壁に取り付けられたバンパーとを備え、前面下パネルは、バンパーと間隔を存して構成された下壁を有し、補助冷気吸込口は、当該前面下パネルの下壁に形成されていることを特徴とする。
【発明の効果】
【００１０】
本発明によれば、断熱壁内方に設けられた仕切板内側に陳列室を構成し、仕切板と断熱壁間に冷却器が設けられたダクトを構成すると共に、断熱壁の開口上縁に形成されて冷却器の冷気吐出側のダクトに連通する冷気吐出口より冷気を吐出し、開口下縁の内側に形成されて冷却器の冷気吸込側のダクトに連通する冷気吸込口より冷気を吸い込むことにより、開口に冷気エアーカーテンを形成して成るオープンショーケースにおいて、断熱壁の開口下縁を構成する前壁の前面に、冷却器の冷気吸込側のダクトに連通する補助冷気吸込口を形成したので、開口上縁の冷気吐出口から吐出され、開口下縁内側の冷気吸込口から外れて外側に漏出した冷気を、断熱壁の前壁前面の補助冷気吸込口から吸い込み、冷却器の冷気吸込側に帰還させることができるようになる。
【００１１】
これにより、オープンショーケースの開口から漏出した冷気をダクトに回収して冷却効率の改善を図ることができるようになると共に、オープンショーケース前方下部の領域の温度低下を防止若しくは抑制して、顧客に与える不快感を未然に解消することが可能となるものである。
【００１２】
特に、請求項２の発明のオープンショーケースの如く断熱壁の前壁上端に取り付けられたハンドレールが、前壁上端から前壁前面上部に渡って湾曲しながら延在する形状を呈する場合には、コアンダー効果によって冷気がハンドレールの湾曲形状に沿い、外側に漏洩し易くなるが、本発明の如く断熱壁の前壁前面に補助冷気吸込口を形成することで、係るハンドレールの形状に伴う冷気漏洩も効率良く回収することが可能となる。
【００１３】
また、請求項３の発明の如く断熱壁の前壁上端に取り付けられたハンドレールと、断熱壁の前壁前面に取り付けられ、ハンドレールの下側に位置する前面下パネルとを備えているオープンショーケースであれば、補助冷気吸込口を、ハンドレールと前面下パネル間に形成すると共に、ハンドレールの形状を、当該補助冷気吸込口を少なくとも前側斜め上方から隠蔽するかたちとすることにより、顧客の目から補助冷気吸込口を隠蔽し、或いは、見え難くすることが可能となる。
【００１４】
これにより、補助冷気吸込口を介して冷却器が外部から見えるような不都合も解消することができるようになり、外観を向上させることができるようになると共に、ダクト内に異物が侵入する不都合も抑制される。特に、この場合には比較的ハンドレールに近い位置に補助冷気吸込口が形成されることになるので、ハンドレールに沿って流下して来た冷気を効率良く補助冷気吸込口から回収することができるようになるものである。
【００１５】
また、請求項４の発明の如く断熱壁の前壁前面に取り付けられた前面下パネルと、この前面下パネルの下側に位置して断熱壁に取り付けられたバンパーとを備えているオープンショーケースであれば、前面下パネルが有するバンパーとは間隔を存した下壁に補助冷気吸込口を形成することにより、同様に顧客の目から補助冷気吸込口を隠蔽し、或いは、見え難くすることが可能となる。
【００１６】
これにより、同様に補助冷気吸込口を介して冷却器が外部から見えるような不都合も解消することができるようになり、外観を向上させることができるようになると共に、ダクト内に異物が侵入する不都合も抑制される。特に、この場合にはオープンショーケースの低い位置に補助冷気吸込口が形成されるので、オープンショーケースの前方下部に溜まる冷気を効率良く回収することが可能となるものである。
【発明を実施するための最良の形態】
【００１７】
次に、図面を参照して本発明の実施形態について詳述する。
【実施例１】
【００１８】
図１は本発明を適用したオープンショーケース１の斜視図、図２は図１のオープンショーケース１の縦断側面図をそれぞれ示している。オープンショーケース１は、例えばスーパーマーケットやコンビニエンスストアなどの店舗内に設置される縦型のオープンショーケースであり、前面が開口する断面略コ字状の断熱壁２と、据え付け現場において断熱壁２の側面に取り付けられた断熱性の側板５、５とから構成されている。オープンショーケース１の断熱壁２の内方には間隔を存して仕切板４が取り付けられ、この仕切板４と断熱壁２間に冷気循環のためのダクト１０が形成されている。背部を構成する仕切板４の下端前方には、底板（デッキパン）９が断熱壁２の底壁２Ａとの間に間隔（ダクト１０の一部を構成する）を存して取り付けられており、これら仕切板４及び底板９の内側が陳列室１１とされいる。
【００１９】
また、この陳列室１１内には、高さ及び取付角度が変更可能であると共に、陳列室１１内背部の図示しない支柱に取り付けられる一対のブラケット３１及びこれらと共に棚装置を構成する棚板３２が複数段に渡って架設されている。棚板３２の前縁には、硬質合成樹脂により成形されるプライスレール３４が取り付けられており、当該プライスレール３４は、棚板３２の装飾体を兼用している。また、この棚板３２の前壁とプライスレール３４との間には、所定の間隔が形成されており、当該間隔には棚板３２上の商品が落下することを防止するためのガード３５が取り付けられる。また、各棚板３２の下面前部には、下方の棚板３２上に陳列される商品を照明するための照明灯３６が配設されている。
【００２０】
断熱壁２の前面開口１２の上縁にはハニカム材１３、１４がそれぞれ取り付けられた冷気吐出口１６、１７が並設されており、これら冷気吐出口１６、１７は、後述する冷却器Ｅの冷気吐出側における前記ダクト１０に連通している。また、開口１２の下縁の内側には、断熱壁２の開口１２の下縁を構成する前壁２Ｃ上端の内側に位置して冷気吸込口１８、１９が並設されている。
【００２１】
そして、底板９下方のダクト１０内の後部には断熱壁２の底壁２Ａ上に冷却器Ｅが設置されると共に、この冷却器Ｅの前側のダクト１０内には冷気循環用の送風機Ｆが設置されている。冷却器Ｅは図示しない圧縮機、凝縮器、減圧装置と共に周知の冷媒回路を構成するものである。前記冷気吸込口１８、１９はこの冷却器Ｅの冷気吸込側（送風機Ｆの吸込側）におけるダクト１０に連通している。
【００２２】
送風機Ｆが運転されると、冷却器Ｅと熱交換して冷却された冷気はダクト１０内を上昇せられ、冷気吐出口１６、１７より冷気吸込口１８、１９に向かって吐出される。そして、冷気吸込口１８、１９から吸い込まれた冷気は再び送風機Ｆによって加速される。これによって、開口１２には冷気エアーカーテンが形成され、この冷気エアーカーテンの一部が陳列室１１内に循環されて陳列室１１は所定の温度（冷蔵又は冷凍温度）に冷却される。
【００２３】
一方、断熱壁２の天壁２Ｂ前端にはパネル３３が取り付けられており、このパネル３３の前面には温度計３８が設けられている。また、このパネル３３の内側角隅部には、陳列室１１全体を照明するための照明灯３７が設けられていると共に、冷気吐出口１６の陳列室１１側の天面仕切板８には、同じく陳列室１１内を上方から照明するための照明灯３９が設けられている。尚、図２において、４０は夜間等の営業時間外において陳列室１１内の冷気が外部に漏洩することを防止するためのナイトカバーであり、本実施例ではロールスクリーンにて構成され、冷気吐出口１７の前側に位置して前下方に指向した吐出口外壁４１の上面と断熱壁２の上部前壁との間に形成される空間に設けられる。
【００２４】
一方、断熱壁２の開口１２下縁を構成する下側の前記前壁２Ｃは、下部が底壁２Ａの前端に渡って後退した後退部２Ｄとされており、当該後退部２Ｄは、底壁２Ａの前端と連続して構成される。係る前壁２Ｃの上端には、ハンドレール２０が取り付けられており、前壁２Ｃの前面には、ハンドレール２０の下側に位置して前面下パネル２１が取り付けられている。また、この前面下パネル２１の下側の断熱壁２には、後退部２Ｄの前面に位置して前面下パネル２１と略面一となるようにバンパー２２が取り付けられている。
【００２５】
次に、図３は断熱壁２の前壁２Ｃ部分の拡大断面図を示している。ハンドレール２０は、ハンドレール本体２４と、前面上パネル２５と、上カバー２６とから構成されている。ハンドレール本体２４は、ショーケース１の開口１２下縁の全幅に渡って設けられており、硬質合成樹脂によって構成される。このハンドレール本体２４は、断熱壁２の前壁２Ｃの上端（上面）前後に渡って取り付けられている。
【００２６】
このハンドレール本体２４の上面には、図示しないフロントガラスを取り付けるための凹陥溝４４が形成されており、実施例ではフロントガラスは取り付けていないため、上カバー２６にてこの凹陥溝４４は閉塞されている。
【００２７】
また、ハンドレール２０の前面上パネル２５は、上記ハンドレール本体２４と同様にショーケース１の開口１２下縁の全幅に渡って設けられており、化粧塗装が施された鋼板性材料にて構成されている。また、この前面上パネル２５は、上端から下端に渡って翼断面形状のように所定曲率にて湾曲して形成されている。前面上パネル２５の上端２５Ａは、下方に略直角に折曲されて凹陥溝４４の前縁部に係合しており、そこから所定曲率で湾曲しながら前壁２Ｃの前面に渡り、下端２５Ｂは前壁２Ｃ前面の上部に位置している。係る構造により、断熱壁２の前壁２Ｃ上端に取り付けられたハンドレール２０は、前壁２Ｃ上端から前壁２Ｃの前面上部に渡って湾曲しながら延在するかたちとなる。
【００２８】
一方、前面下パネル２１は、断熱壁２の前壁２Ｃの前面との間に所定の間隔Ｇを存した状態で両側及び下部が当該前壁２Ｃに固定されたかたちで取り付けられている。バンパー２２はこの前面下パネル２１の下方に少許間隔を存した状態で位置している。前面下パネル２１には下壁２１Ａが形成されており、この下壁２１Ａはバンパーの上壁２２Ａとの間に間隔を存して当該上壁２２Ａに対向している。
【００２９】
他方、ハンドレール２０の前面上パネル２５の下端２５Ｂに対峙している前面下パネル２１の上端２１Ｂは、斜めに後方（前壁２Ｃ側）に屈曲されており、且つ、当該上端２１Ｂの先端は前壁２Ｃから離間している。そして、この前面上パネル２５の下端２５Ｂと前面下パネル２１の上端２１Ｂ間に本発明の補助冷気吸込口５０が形成される。前記ハンドレール２０の前面上パネル２５の下端２５Ｂは、前面下パネル２１の上端２１Ｂの上縁の前方まで降下した形状を呈している（図３）。これにより、補助冷気吸込口５０は前面上パネル２５により前側、及び、前側斜め上方から隠蔽されたかたちとされている。
【００３０】
そして、この補助冷気吸込口５０は前面下パネル２１と断熱壁２の前壁２Ｃ間の間隔Ｇに連通している。更に、この間隔Ｇに対応する位置の前壁２Ｃには透孔５１が形成されており、間隔Ｇと冷却器Ｅ（送風機Ｆ）の冷気吸込側におけるダクト１０とを連通している。これにより、補助冷気吸込口５０は、間隔Ｇを介して冷却器Ｅの冷気吸込側におけるダクト１０と連通する。尚、５２は補助冷気吸込口５０に対応してハンドレール２０の前面上パネル２５の下端２５Ｂと前面下パネル２１の上端２１Ｂ間に渡って取り付けられたフィルタであり、オープンショーケース１の外部から補助冷気吸込口５０内側に侵入しようとする塵埃を捕獲する機能を奏する。このフィルタ５２は前面上パネル２５の下端２５Ｂと前面下パネル２１の上端２１Ｂに補助冷気吸込口５０の外側から着脱可能に取り付けられている。
【００３１】
以上の構成で、開口１２上縁の冷気吐出口１６、１７から吐出された冷気の多くは、開口１２下縁内側の冷気吸込口１８、１９から吸い込まれるが、一部は外れてオープンショーケース１の外側（前方）に漏洩してしまう。この場合、ハンドレール２０の前面上パネル２５は翼断面形状のように湾曲していることから、コアンダー効果が生じ、冷気吸込口１８、１９から外れた冷気は、この前面上パネル２５の外面（上面）に吸い付くように沿って前方に流れる（図３に矢印で記載）。
【００３２】
しかしながら、オープンショーケース１の断熱壁２の前壁２Ｃ前面側の前面上パネル２５の下端２５Ｂと前面下パネル２１の上端２１Ｂとの間には補助冷気吸込口５０が形成されているので、前面上パネル２５の外面に沿って流下して来た冷気は、下端２５Ｂに至った時点でフィルタ５２を介し、補助冷気吸込口５０に吸い込まれ、間隔Ｇ、透孔５１を経て送風機Ｆに吸い込まれて冷却器Ｅに帰還する（図３に矢印で記載）。
【００３３】
このように、本発明によればオープンショーケース１の断熱壁２の開口１２下縁を構成する前壁２Ｃの前面に、冷却器Ｅの冷気吸込側のダクト１０に連通する補助冷気吸込口５０を形成したので、開口１２上縁の冷気吐出口１６、１７から吐出され、開口１２下縁内側の冷気吸込口１８、１９から外れて外側に漏出した冷気を、断熱壁２の前壁２Ｃ前面の補助冷気吸込口５０から吸い込み、冷却器Ｅの冷気吸込側に帰還させることができるようになる。
【００３４】
これにより、開口１２から漏出した冷気をダクト１０に回収して冷却効率の改善を図ることができるようになると共に、オープンショーケース１前方下部の領域の温度低下を防止若しくは抑制して、顧客に与える不快感を未然に解消することが可能となる。特に、実施例のようにハンドレール２０を構成する前面上パネル２５が、前壁２Ｃ上端から前壁２Ｃ前面上部に渡って湾曲しながら延在する形状を呈する場合には、コアンダー効果によって冷気が前面上パネル２５の湾曲形状に沿い、外側に漏洩し易くなるが、本発明の如く断熱壁２の前壁２Ｃ前面に補助冷気吸込口５０を形成することで、係るハンドレール２０の形状に伴う冷気漏洩も効率良く回収することができるようになる。
【００３５】
また、この実施例では補助冷気吸込口５０を、ハンドレール２０と前面下パネル２１間に形成すると共に、ハンドレール２０の前面上パネル２５の形状を、当該補助冷気吸込口５０を前側又は前側斜め上方（少なくとも前側斜め上方）から隠蔽するかたちとしているので、顧客の目（ハンドレール２０の前側上方にあり）から補助冷気吸込口５０を隠蔽し、或いは、見え難くすることが可能となる。
【００３６】
これにより、補助冷気吸込口５０を介して冷却器Ｅ（及び送風機Ｆ）が外部から見えるような不都合も解消することができるようになり、外観を向上させることができるようになると共に、ダクト１０内に異物が侵入（悪戯で異物を挿入される場合を含む）する不都合も防止若しくは抑制される。この場合、実施例では補助冷気吸込口５０にフィルタ５２を取り付けているので、外部からダクト１０に塵埃が侵入する不都合も防止される。
【００３７】
特に、この実施例の場合には比較的ハンドレール２０に近い位置に補助冷気吸込口５０が形成されることになるので、ハンドレール２０の前面上パネル２５に沿って流下して来た冷気を効率良く補助冷気吸込口５０から回収することができるようになる。
【実施例２】
【００３８】
次に、図４は本発明の他の実施例を示している。尚、この図において図１乃至図３と同一符号で示すものは同一若しくは同様の機能を奏するものとする。この場合、前面下パネル２１の上端２１Ｂは後方に屈曲されておらず、ハンドレール２０の前面上パネル２５の下端２５Ｂの内側に当接したかたちとされている。その代わりにこの実施例では、前面下パネル２１の下壁２１Ａに補助冷気吸込口５０が形成され、間隔Ｇ、透孔５１を介して冷却器Ｅ（送風機Ｆ）の冷気吸込側のダクト１０に連通されている。
【００３９】
尚、前述同様のフィルタ５２は、補助冷気吸込口５０に対応して前面下パネル２１の下壁２１Ａ外面に取り付けられており、同様にオープンショーケース１の外部から補助冷気吸込口５０内側に侵入しようとする塵埃を捕獲する機能を奏する。このフィルタ５２は前面下パネル２１の下壁２１Ａ外面に外側から着脱可能に取り付けられている。
【００４０】
係る構成で、冷気吸込口１８、１９から外れてオープンショーケース１の外側（前方）に漏洩し、前面上パネル２５の外面（上面）に吸い付くように沿って前方に流れる（図４に矢印で記載）冷気は、前面下パネル２１の外面（前面）に沿って流下する。そして、下壁２１Ａに至った時点でバンパー２２との間を通ってフィルタ５２を介し、補助冷気吸込口５０に吸い込まれ、間隔Ｇ、透孔５１を経て送風機Ｆに吸い込まれて冷却器Ｅに帰還する（図４に矢印で記載）。
【００４１】
このように、前面下パネル２１が有するバンパー２２とは間隔を存した下壁２１Ａに補助冷気吸込口５０を形成することにより、前述同様に顧客の目から補助冷気吸込口５０を隠蔽し、或いは、見え難くすることが可能となる。
【００４２】
これにより、同様に補助冷気吸込口５０を介して冷却器Ｅ（及び送風機Ｆ）が外部から見えるような不都合も解消することができるようになり、外観を向上させることができるようになると共に、ダクト１０内に異物が侵入する不都合も抑制される。特に、この場合にはオープンショーケース１前部の低い位置に補助冷気吸込口５０が形成されることになるので、オープンショーケース１の前方下部に溜まる冷気を効率良く回収することが可能となる（図４に白抜き矢印で記載）。
【００４３】
尚、上記各実施例では前壁２Ｃに透孔５１を形成して補助冷気吸込口５０とダクト１０を連通させたが、断熱壁２を透孔５１の位置までとし、その位置からハンドレール２０の位置（開口１２下縁）までスリット付きの板材を取り付け、この板材によって前壁２Ｃ（即ち、前壁２Ｃを断熱壁と板材にて構成する）を構成しても本発明は有効である。
【００４４】
また、実施例１ではハンドレール２０と前面下パネル２１間に補助冷気吸込口５０を形成し（図３）、実施例２では前面下パネル２１の下壁２１Ａに補助冷気吸込口５０を形成したが（図４）、双方に補助冷気吸込口５０を形成しても良い。
【図面の簡単な説明】
【００４５】
【図１】本発明を適用したオープンショーケースの斜視図である、
【図２】図１のオープンショーケースの縦断側面図である。
【図３】オープンショーケースの断熱壁の前壁部分の拡大縦断側面図である（実施例１）。
【図４】本発明の他の実施例のオープンショーケースの断熱壁の前壁部分の拡大縦断側面図である（実施例２）。
【符号の説明】
【００４６】
１    オープンショーケース
２    断熱壁
２Ａ  底壁
４    仕切板
１０  ダクト
１１  陳列室
１２  開口
１６、１７  冷気吐出口
１８、１９  冷気吸込口
２０  ハンドレール
２１  前面下パネル
２２  バンパー
２４  ハンドレール本体
２５  前面上パネル
２６  上カバー
５０  補助冷気吸込口
５１  透孔
５２  フィルタ
Ｅ    冷却器
Ｆ    送風機
Ｇ    間隔
【図１】
2009039159.tif 000003
【図２】
2009039159.tif 000004
【図３】
2009039159.tif 000005
【図４】
2009039159.tif 000006